(57)【特許請求の範囲】
【請求項１】
冷却対象が配置される密閉空間内の冷却気体を循環させて、前記冷却対象を冷却する循環冷却装置と、
前記冷却気体の熱が伝導される第１液体を循環させる吸熱装置と、
前記第１液体の熱が伝導される第２液体を循環させ、前記第２液体の熱を放出する放熱装置と、
前記第１液体及び前記第２液体が内部を流通可能に構成され、前記第１液体の熱を前記第２液体に伝導する熱交換装置と、
を備え、
前記循環冷却装置は、密閉筐体を備え、
前記吸熱装置は、
前記密閉筐体と組み合わされて前記密閉空間を形成するダクトと、
前記ダクト内に配置され、前記ダクト内を流通する前記冷却気体から吸熱して、吸熱した熱を前記第１液体に伝導する吸熱器と、
前記第１液体を圧送する第１圧送部と、
を備え、
前記放熱装置は、
前記第２液体の熱を放熱する放熱器と、
前記第２液体を圧送する第２圧送部と、
を備え、
前記熱交換装置、前記ダクト、前記吸熱器、前記放熱器、前記第１圧送部、及び前記第２圧送部は、ユニットとして一体化されており、
前記第１圧送部及び前記第２圧送部は、１つのポンプによって構成されていることを特徴とするプロジェクター。
【請求項２】
請求項１に記載のプロジェクターにおいて、
前記熱交換装置、前記ダクト、前記吸熱器、前記放熱器、前記第１圧送部、及び前記第２圧送部が取り付けられるフレームを備えることを特徴とするプロジェクター。
【請求項３】
請求項２に記載のプロジェクターにおいて、
前記ダクト及び前記放熱器の少なくともいずれかは、前記フレームに遊嵌構造によって取り付けられていることを特徴とするプロジェクター。
【請求項４】
請求項２又は請求項３に記載のプロジェクターにおいて、
前記吸熱装置は、前記第１液体が貯留される第１貯留部を備え、
前記放熱装置は、前記第２液体が貯留される第２貯留部を備え、
前記第１貯留部及び前記第２貯留部は、前記熱交換装置、前記ダクト、前記吸熱器、前記放熱器、前記第１圧送部、及び前記第２圧送部とともに前記ユニットとして一体化されていることを特徴とするプロジェクター。
【請求項５】
請求項４に記載のプロジェクターにおいて、
前記フレームは、第１フレームと、前記第１フレームに対して鉛直方向上側に接続される第２フレームと、を有し、
前記第１貯留部、前記第１圧送部、前記第２貯留部、前記第２圧送部、及び前記熱交換装置は、前記第１フレームに取り付けられ、
前記ダクト、前記吸熱器、及び前記放熱器は、前記第２フレームに取り付けられることを特徴とするプロジェクター。
【請求項６】
請求項１から請求項５のいずれか一項に記載のプロジェクターにおいて、
前記循環冷却装置は、前記密閉空間内の前記冷却気体を循環させる循環ファンを備え、
前記循環ファンは、前記ダクト内に配置されていることを特徴とするプロジェクター。
【請求項７】
請求項１から請求項６のいずれか一項に記載のプロジェクターにおいて、
前記吸熱器は、前記第１液体が内部に流入する流入口を有し、
前記流入口は、前記熱交換装置が前記第１液体の循環流路において前記吸熱器の上流に位置するように、前記熱交換装置と流通管を介して接続され、
前記熱交換装置は、前記吸熱器に対して前記流入口側に配置されていることを特徴とするプロジェクター。
【請求項８】
請求項１から請求項７のいずれか一項に記載のプロジェクターにおいて、
前記放熱器は、前記放熱器を流通した前記第２液体が流出される流出口を有し、
前記流出口は、前記熱交換装置が前記第２液体の循環流路において前記放熱器の下流に位置するように、前記熱交換装置と流通管を介して接続され、
前記熱交換装置は、前記放熱器に対して前記流出口側に配置されていることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、を備えるプロジェクターが知られている。このようなプロジェクターとして、それぞれ密閉構造内に配置された光学装置（光変調装置としての液晶パネルを含む）及び偏光変換素子を、当該密閉構造内を循環する空気によって冷却する密閉循環空冷ユニットを備えたものが提案されている（例えば、特許文献１参照）。
【０００３】
この特許文献１に記載のプロジェクターでは、密閉循環空冷ユニットは、第１の密閉構造内の第１空気流通路の空気を循環させて上記光学装置を冷却する第１の空冷ユニットと、第２の密閉構造内の第２空気流通路の空気を循環させて偏光変換素子を冷却する第２の空冷ユニットと、を備える。
第１の空冷ユニットは、熱交換器及び循環ファンと、光学部品用筐体とともに第１の密閉構造を構成するダクト部材と、第１の放熱装置と、を備える。これらのうち、熱交換器は、第１空気流通路を辿る空気の熱を受熱して外部に放熱する装置であり、受熱側熱伝導性部材が第１の密閉構造内に面し、冷却ファンから送風された空気によって冷却される放熱側熱伝導性部材が第１の密閉構造外に面する構造である。また、第１の放熱装置は、ダクト部材のうち高熱伝導ダクト部に接続されて、流通する空気の熱を受熱する第１の受熱部材と、冷却ファンから空気が送風される第１の放熱部材と、一端にて第１の受熱部材に接続され、他端にて第１の放熱部材に接続されるヒートパイプで構成される第１の導熱部材と、を有する。そして、第１の空冷ユニットでは、循環ファンによって環状の第１空気流通路の空気が循環することにより、ダクト部材内の上記光学装置が冷却される。
【０００４】
第２の空冷ユニットは、循環ファン、ダクト部材及び第２の放熱装置を備える。これらのうち、第２の放熱装置は、環状の第２空気流通路を辿る空気から直接受熱する第２の受熱部材と、当該第２の受熱部材及び上記高熱伝導性ダクト部に伝導された熱を第２の密閉構造内部から外部に導き、上記第１の放熱部材に伝導する第２の導熱部材と、を備える。そして、循環ファンによって環状の第２空気流通路の空気が循環することにより、ダクト部材内の偏光変換素子が冷却される。
【先行技術文献】
【特許文献】
【０００５】
【特許文献１】特許第４２６５６３２号公報
【発明の概要】
【発明が解決しようとする課題】
【０００６】
上記特許文献１に記載のプロジェクターでは、ヒートパイプにより構成された導熱部材や、ヒートシンクにより構成された放熱部材によって、循環流路内を流通する空気の熱を外部に放熱する構成である。このような構成では、冷却対象の熱量が増大すると、ヒートパイプを複数用いたり、大型の受熱部材及び放熱部材を用いたりする必要があり、冷却装置が大型化する。このため、プロジェクターへの冷却装置の取付が煩雑になるという問題がある。
【０００７】
本発明は、上記課題の少なくとも一部を解決することを目的としたものであり、冷却装置の設置を容易に実施できるプロジェクターを提供することを目的の１つとする。
【課題を解決するための手段】
【０００８】
上記一態様に係るプロジェクターは、冷却対象を冷却する冷却装置を備え、前記冷却装置は、前記冷却対象が配置される密閉空間内の冷却気体を循環させて、前記冷却対象を冷却する循環冷却装置と、前記冷却気体の熱が伝導される第１液体を循環させる吸熱装置と、前記第１液体の熱が伝導される第２液体を循環させ、前記第２液体の熱を放出する放熱装置と、前記第１液体及び前記第２液体が内部を流通可能に構成され、前記第１液体の熱を前記第２液体に伝導する熱交換装置と、を備え、前記循環冷却装置は、密閉筐体を備え、前記吸熱装置は、前記密閉筐体と組み合わされて前記密閉空間を形成するダクトと、前記ダクト内に配置され、前記ダクト内を流通する前記冷却気体から吸熱して、吸熱した熱を前記第１液体に伝導する吸熱器と、を備え、前記放熱装置は、前記第２液体の熱を放熱する放熱器を備え、前記熱交換装置、前記ダクト、前記吸熱器及び前記放熱器は、ユニットとして一体化されていることを特徴とする。
【０００９】
上記一態様によれば、吸熱装置のダクト及び吸熱器と、放熱装置の放熱器と、熱交換装置とは、ユニットとして一体化される。これによれば、これらダクト、吸熱器、放熱器及び熱交換装置をプロジェクター外にて一体化できる。従って、一体化されたユニットをプロジェクター内に設置することにより、当該プロジェクター内で上記構成を組立及び配置する場合に比べて、冷却装置の設置を容易に実施できる。
また、密閉空間内に配置される吸熱器は、循環冷却装置の密閉筐体と組み合わされて当該密閉空間を形成するダクト内に配置された状態にて、上記ユニットとして一体化される。これによれば、例えばプロジェクター内に設置された密閉筐体と、ダクトとを組み合わせることによって密閉空間内に吸熱器を配置できる。従って、この点においても、プロジェクター内での冷却装置の組立を容易に実施できる。
【００１０】
上記一態様では、前記熱交換装置、前記ダクト、前記吸熱器及び前記放熱器が取り付けられるフレームを備えることが好ましい。
上記一態様によれば、フレームにより、熱交換装置、ダクト、吸熱器及び放熱器を一体化しやすくすることができる。従って、上記ユニットの組立作業を簡略化できる他、各構成を密に配置できるので、ユニットを小型化でき、冷却装置、ひいては、プロジェクターを小型化できる。
【００１１】
上記一態様では、前記ダクト及び前記放熱器の少なくともいずれかは、前記フレームに遊嵌構造によって取り付けられていることが好ましい。
ここで、上記密閉筐体がプロジェクター内に予め設置されている場合には、当該密閉筐体に対してダクトが移動可能であれば、当該ダクトを密閉筐体に容易に組み合わせることができる。これに対し、ダクトが遊嵌構造によってフレームに取り付けられていれば、当該フレームへの取付後でもダクトを移動させることができる。従って、この場合には、密閉筐体に対してダクトを容易に組合せることができる。
一方、放熱器に空気を流通させることによって当該放熱器を冷却することが考えられる。しかしながら、塵埃が含まれる空気を流通させると、当該塵埃が付着する等して放熱効率が低下する。このため、フィルターを介して清浄化した空気を放熱器に流通させることが好ましいが、この場合には、フィルターや、当該フィルターが配置される外装筐体の開口部に対して放熱器を位置合わせする必要がある。これに対し、放熱器が遊嵌構造によってフレームに取り付けられていれば、当該フレームへの取付後でも放熱器を移動させることができる。従って、この場合には、フィルター等の他の部材に対して放熱器を容易に位置合わせできる。
【００１２】
上記一態様では、前記吸熱装置は、前記第１液体が貯留される第１貯留部と、前記第１液体を圧送する第１圧送部と、を備え、前記放熱装置は、前記第２液体が貯留される第２貯留部と、前記第２液体を圧送する第２圧送部と、を備え、前記第１貯留部、前記第１圧送部、前記第２貯留部及び前記第２圧送部は、前記熱交換装置、前記ダクト、前記吸熱器及び前記放熱器とともに前記ユニットとして一体化されていることが好ましい。
上記一態様によれば、上記した各構成がユニットとして一体化されていることにより、プロジェクター内での冷却装置の組立及び設置を一層容易に実施できる。
【００１３】
上記一態様では、前記フレームは、第１フレームと、前記第１フレームに対して鉛直方向上側に接続される第２フレームと、を有し、前記第１貯留部、前記第１圧送部、前記第２貯留部、前記第２圧送部及び前記熱交換装置は、前記第１フレームに取り付けられ、前記ダクト、前記吸熱器及び前記放熱器は、前記第２フレームに取り付けられることが好ましい。
ここで、第１フレームにそれぞれ取り付けられる第１貯留部、第１圧送部、第２貯留部、第２圧送部及び熱交換装置は、当該第１フレームに一度取り付けられれば、修理の場合等を除いて、移動させる必要性はそれほど高くない。一方、第２フレームにそれぞれ取り付けられるダクト、吸熱器及び放熱器は、上記のように、他の部材と係合する可能性があり、冷却装置４の設置及び組立の際には移動させる必要性が高い。
これに対し、上記一態様によれば、移動させる必要性がそれほど高くない構成を、鉛直方向下側に位置する第１フレームに配置し、移動させる可能性が高い構成を、鉛直方向上側に位置する第２フレームに配置できる。これにより、プロジェクター内に上記ユニットを設置する際に、移動させる可能性が高い上記構成を他の部材に対して位置合わせしやすくすることができる。従って、プロジェクター内での冷却装置の組立及び設置をより一層容易に実施できる。
【００１４】
上記一態様では、前記第１圧送部及び前記第２圧送部は、１つのポンプによって構成されていることが好ましい。
上記一態様によれば、第１圧送部及び第２圧送部が、１つのポンプによって構成されていることにより、部品点数を削減できるだけでなく、上記ユニット、ひいては、冷却装置を小型化できる。
【００１５】
上記一態様では、前記吸熱器は、前記第１液体が内部に流入する流入口を有し、前記流入口は、前記熱交換装置が前記第１液体の循環流路において前記吸熱器の上流に位置するように、当該熱交換装置と流通管を介して接続され、前記熱交換装置は、前記吸熱器に対して前記流入口側に配置されていることが好ましい。
ここで、第１液体の熱は、熱交換装置によって第２液体に伝導されるので、当該熱交換装置から流出された第１液体の温度は、当該第１液体の循環流路において比較的低い。これに対し、熱交換装置から流出された第１液体は、流通管を介して下流に位置する吸熱器に流通されるので、温度が低い第１液体を吸熱器に流通させることができる。従って、吸熱器による冷却気体の冷却効率を高めることができる。
【００１６】
また、熱交換装置は、吸熱器に対して第１液体が流入される流入口側に位置している。これによれば、熱交換装置が、吸熱器から第１液体が流出される流出口側に位置している場合に比べ、熱交換装置と吸熱器の流入口とを接続し、かつ、温度が比較的低い第１液体が流通する流通管を短くすることができる。従って、当該流通管が比較的長い場合（第１液体の流路が長くなる場合）に比べて、吸熱器に流入される第１液体の温度上昇を抑制でき、吸熱器による冷却気体の冷却効率を高めることができる他、第１液体の蒸発及び気化を抑制できる。更に、温度が比較的低い第１液体が流通する上記流通管に結露が生じる可能性がある場合でも、結露対策を施す範囲を狭めることができる。
【００１７】
上記一態様では、前記放熱器は、前記放熱器を流通した前記第２液体が流出される流出口を有し、前記流出口は、前記熱交換装置が前記第２液体の循環流路において前記放熱器の下流に位置するように、当該熱交換装置と流通管を介して接続され、前記熱交換装置は、前記放熱器に対して前記流出口側に配置されていることが好ましい。
上記一態様によれば、第２液体は、放熱器を流通することによって冷却され、流通管を介して熱交換装置に流入される。これによれば、温度が低い第２液体を熱交換装置に流通させることができる。従って、熱交換装置によって第１液体から第２液体に移動される熱量を増やすことができ、当該第１液体を確実に冷却できる。
また、熱交換装置は、放熱器への第２液体の流入口側ではなく、当該放熱器からの第２液体の流出口側に位置する。これによれば、当該流出口と熱交換装置との距離を短くすることができ、当該流出口と熱交換装置とを接続する流通管を短くすることができる。従って、当該流通管が比較的長い場合（第２液体の流路が長くなる場合）に比べて、熱交換装置に流入される第２液体の温度上昇を抑制できる他、第２液体の蒸発及び気化を抑制できる。更に、温度が比較的低い第２液体が流通する上記流通管に結露が生じる可能性がある場合でも、結露対策を施す範囲を狭めることができる。
【図面の簡単な説明】
【００１８】
【図１】本発明の一実施形態に係るプロジェクターを示す概要斜視図。
【図２】上記実施形態におけるプロジェクターの内部構成を示す模式図。
【図３】上記実施形態における冷却装置の概略構成を示すブロック図。
【図４】上記実施形態における熱交換装置を示す斜視図。
【図５】上記実施形態における熱交換装置を示す斜視図。
【図６】上記実施形態における冷却装置の断面を模式的に示す図。
【図７】上記実施形態における冷却ユニットを示す斜視図。
【図８】上記実施形態における冷却ユニットを示す斜視図。
【図９】上記実施形態における第１フレームへのポンプの設置状態を示す斜視図。
【図１０】図９の状態からタンクが設置された状態を示す斜視図。
【図１１】図１０の状態から熱交換装置が設置された状態を示す斜視図。
【図１２】図１１の状態から第２フレームが設置された状態を示す斜視図。
【図１３】図１２の状態からケースが設置された状態を示す斜視図。
【図１４】上記実施形態におけるケースを示す斜視図。
【図１５】上記実施形態における第２フレームにケースを取り付ける遊嵌構造を示す断面図。
【図１６】図１３の状態からダクトが設置された状態を示す斜視図。
【図１７】上記実施形態におけるダクトを示す斜視図。
【図１８】上記実施形態における冷却ユニットを示す平面図。
【発明を実施するための形態】
【００１９】
以下、本発明の一実施形態について、図面に基づいて説明する。
［プロジェクターの外観構成］
図１は、本実施形態に係るプロジェクター１を示す概要斜視図である。
本実施形態に係るプロジェクター１は、後述する照明装置３１から出射される光を変調して画像情報に応じた画像を形成し、当該画像をスクリーン等の被投射面上に拡大投射する投射型表示装置である。
このプロジェクター１は、詳しくは後述するが、冷却対象が配置された密閉筐体内の冷却空気を循環させて当該冷却対象を冷却し、当該冷却対象を冷却して熱を帯びた冷却空気の熱を、密閉筐体内外を循環する第１液体を介して第２液体に伝導させ、密閉筐体外にて当該第２液体を循環させる過程にて、当該第２液体の熱を放熱し、これにより、密閉筐体内の冷却対象の熱を密閉筐体外にて放熱する機能を有する。
このプロジェクター１は、図１に示すように、外装を構成する外装筐体２を備える。
【００２０】
外装筐体２は、天面部２１、底面部２２、正面部２３、背面部２４及び左右の側面部２５，２６を有する略直方体形状に形成されている。
天面部２１には、使用者がプロジェクター１を把持したり、天井等に設置された器具にプロジェクター１を固定する際に利用される一対の把手２１１が設けられている。また、天面部２１には、後述する光源装置３１Ａ，３１Ｂを外装筐体２内に交換可能に収納するための開口部（図示省略）が形成され、当該開口部は、カバー部材２１２によって覆われている。
底面部２２には、図示を省略するが、設置台等の設置面上に載置される際に、当該設置面と接触する脚部が設けられている。
正面部２３には、後述する画像形成装置３を構成する投射光学装置３５の一部が露出する開口部２３１が形成されている。
これらの他、右側の側面部２６には、外装筐体２外の空気を内部に導入する導入口２６１が形成され、左側の側面部２５には、外装筐体２内の空気を外部に排出する排気口（図示省略）が形成されている。なお、導入口２６１内には、図示を省略するが、当該導入口２６１を通過して外装筐体２内に流通する空気から塵埃等を除去するフィルターが設けられている。
【００２１】
［プロジェクターの内部構成］
図２は、プロジェクター１の内部構成を示す模式図である。
プロジェクター１は、上記外装筐体２の他、図２に示すように、当該外装筐体２内に配置される画像形成装置３を備える。この他、図示を省略するが、プロジェクター１は、当該プロジェクター１を制御する制御装置、及び、当該プロジェクター１を構成する電子部品に電力を供給する電源装置を備える。
【００２２】
［画像形成装置の構成］
画像形成装置３は、上記制御装置から入力される画像情報に応じた画像を形成及び投射する。この画像形成装置３は、照明装置３１、均一化装置３２、色分離装置３３、電気光学装置３４、投射光学装置３５及び光学部品用筐体３６を備える。
【００２３】
照明装置３１は、互いに対向配置される一対の光源装置３１Ａ，３１Ｂと、当該一対の光源装置３１Ａ，３１Ｂの間に配置される反射ミラー３１Ｃと、を備える。
一対の光源装置３１Ａ，３１Ｂは、光源ランプ３１１及びリフレクター３１２と、これらを内部に収納する収納体３１３とをそれぞれ備える。そして、これら光源装置３１Ａ，３１Ｂは、反射ミラー３１Ｃに向けて光を出射する。
反射ミラー３１Ｃは、光源装置３１Ａ，３１Ｂから入射される光をそれぞれ同方向に反射させ、これにより、当該光を均一化装置３２に入射させる。
【００２４】
均一化装置３２は、照明装置３１から出射された光束の中心軸に対する直交面内の照度を均一化する。この均一化装置３２は、調光装置３２０、ＵＶフィルター３２１、第１レンズアレイ３２２、シネマフィルター３２３、第２レンズアレイ３２４、偏光変換素子３２５及び重畳レンズ３２６を有する。これらのうち、偏光変換素子３２５は、入射された光の偏光方向を一種類に揃えるものであり、本発明の光学部品の１つである。
色分離装置３３は、均一化装置３２から入射される光束を、赤（Ｒ）、緑（Ｇ）及び青（Ｂ）の３つの色光に分離する。この色分離装置３３は、ダイクロイックミラー３３１，３３２、反射ミラー３３３〜３３６及びリレーレンズ３３７を有する。
【００２５】
電気光学装置３４は、分離された各色光を画像情報に応じて変調した後、変調された各色光を合成する。この電気光学装置３４は、それぞれ色光毎に設けられる光変調装置としての液晶パネル３４１（赤、緑及び青用の液晶パネルを、それぞれ３４１Ｒ，３４１Ｇ，３４１Ｂとする）、フィールドレンズ３４０、入射側偏光板３４２及び出射側偏光板３４３と、１つの色合成装置３４４と、を有する。これらのうち、色合成装置３４４としては、ダイクロイックプリズムを採用できる。また、各フィールドレンズ３４０は、入射側偏光板３４２と、反射ミラー３３４〜３３６のうち対応する反射ミラーとの間に配置されている。
投射光学装置３５は、色合成装置３４４により合成された光束（画像を形成する光束）を上記被投射面上に拡大投射する投射レンズである。このような投射光学装置３５としては、鏡筒内に複数のレンズが配置された組レンズを採用できる。
【００２６】
光学部品用筐体３６は、内部に照明光軸Ａｘが設定された箱状筐体である。この光学部品用筐体３６は、上記照明装置３１が配置される配置部３６１と、均一化装置３２及び色分離装置３３を構成する光学部品が収納配置される配置部３６２と、電気光学装置３４が配置される配置部３６３と、を有する。
これらのうち、配置部３６３は、筒状に形成された部位であり、当該部位には、各色光の光路上に上記フィールドレンズ３４０が嵌め込まれている他、色合成装置３４４から出射されて投射光学装置３５に入射される光の光路上に透光性部材（図示省略）が嵌め込まれている。このため、電気光学装置３４が内側に配置される配置部３６３は、後述する密閉空間Ｓを形成し、天面部２１及び底面部２２の一方側から他方側（底面部２２側から天面部２１側）に向かう冷却空気が流通可能に構成されている。このような配置部３６３における天面部２１側の端部には、後述する密閉筐体５１を構成する第１ダクト部５１１（図６参照）の一端が接続され、底面部２２側の端部には、当該密閉筐体５１を構成する第２ダクト部５１２（図６参照）の一端が接続される。すなわち、配置部３６３に設けられたフィールドレンズ３４０は、当該配置部３６３とともに、後述する密閉空間Ｓの一部を形成する。しかしながら、これに限らず、フィールドレンズ３４０に代えて入射側偏光板３４２や他の透光性部材を光学部品用筐体３６（配置部３６３）に嵌め込み、これにより密閉空間Ｓの一部を形成してもよい。
【００２７】
［冷却装置の構成］
図３は、冷却装置４の概略構成を示すブロック図である。
プロジェクター１は、上記構成の他、外装筐体２内に配置される冷却装置４を備える。この冷却装置４は、密閉筐体５１、ダクト６５及び上記配置部３６３により形成される密閉空間Ｓ内の冷却空気を循環させることにより、当該密閉空間Ｓ内に配置された冷却対象（電気光学装置３４）を冷却し、当該冷却対象の冷却に供せられて熱せられた冷却空気の熱を、循環流路を循環する第１液体に伝導して密閉空間Ｓ外に流出させ、当該第１液体から他の循環流路を流通する第２液体に伝導して密閉空間Ｓ外にて放熱するものである。なお、第１液体及び第２液体は、それぞれ異なる循環流路を流通する液体であることを示す呼称であり、それぞれ同じ成分の液体であってもよい。このような液体としては、水やプロピレングリコール等の不凍液を例示できる。
この冷却装置４は、図３に示すように、循環冷却装置５、吸熱装置６、放熱装置７及び熱交換装置８と、各装置６〜８が取り付けられるフレーム９（図６以降を参照）と、を備える。
【００２８】
［循環冷却装置の構成］
循環冷却装置５は、密閉空間Ｓ内の冷却空気を循環させて、当該密閉空間Ｓ内に配置された上記冷却対象を冷却する。この循環冷却装置５は、上記密閉筐体５１の他、循環ファン５２及び冷却ファン５３を備える。
密閉筐体５１は、冷却対象である電気光学装置３４と、循環ファン５２及び冷却ファン５３と、が収納される筐体であり、後述する吸熱器６１が内部に配置されるダクト６５と光学部品用筐体３６の配置部３６３とに接続されて、内部に上記密閉空間Ｓを形成する。この密閉筐体５１は、当該密閉筐体５１外の空気が内部に流入しにくい密閉構造として構成されている。この密閉筐体５１の構成については、後に詳述する。
【００２９】
循環ファン５２は、上記冷却空気を吸引して吐出することにより、当該冷却空気を密閉空間Ｓ内にて循環させる。この循環ファン５２は、本実施形態では軸流ファンにより構成され、後述する吸熱器６１近傍に２つ設けられている。しかしながら、これに限らず、循環ファン５２は、シロッコファンにより構成されていてもよく、循環ファン５２の数も適宜変更可能であり、更には分散して配置してもよい。
冷却ファン５３は、密閉空間Ｓ内の冷却空気を吸引して、後述する導風ダクト部５１３（図６参照）を介して上記冷却対象に送出する。この冷却ファン５３は、上記電気光学装置３４の各液晶パネル３４１に応じて設けられ、当該各液晶パネル３４１に冷却空気を送出する冷却ファン５３Ｒ，５３Ｇ，５３Ｂを含む。このような冷却ファン５３は、本実施形態ではシロッコファンにより構成されているが、軸流ファンにより構成されてもよく、冷却ファン５３の数も適宜変更可能である。
【００３０】
［吸熱装置の構成］
吸熱装置６は、上記密閉筐体５１内の冷却空気から熱を吸熱し、当該熱が伝導された第１液体を、密閉空間Ｓ外に位置する熱交換装置８に流通させるものであり、当該第１液体の循環流路を構成する。この吸熱装置６は、吸熱器６１、タンク６２及びポンプ６３と、複数の流通管６４と、ダクト６５と、を有する。
これらのうち、流通管６４（６４１〜６４４）は、吸熱器６１、タンク６２及びポンプ６３と、後述する熱交換装置８とを、第１液体が内部を流通可能に接続する。
また、ダクト６５は、密閉筐体５１及び配置部３６３とともに内部に密閉空間Ｓ及び冷却空気の循環流路を形成する。このダクト６５内には、吸熱器６１が配置される。なお、ダクト６５の詳しい構成については、後に詳述する。
【００３１】
吸熱器６１は、上記ダクト６５内、すなわち、密閉空間Ｓ内に配置され、タンク６２及びポンプ６３は、当該密閉空間Ｓ外に配置されている。
これらのうち、吸熱器６１は、流通管６４１を介してタンク６２と接続され、また、流通管６４４を介して熱交換装置８と接続されている。この吸熱器６１は、密閉空間Ｓ内を循環する冷却空気から熱を吸熱して当該冷却空気を冷却し、吸熱した熱を、内部を流通する第１液体に伝導させる。この吸熱器６１により熱せられた第１液体は、流通管６４１を介してタンク６２に向けて流通する。
【００３２】
タンク６２は、本発明の第１貯留部に相当し、流通管６４２を介してポンプ６３と接続されている。このタンク６２は、流通管６４１〜６４４を介して循環する第１液体を一時的に貯留する。これにより、空気や不純物が混入した第１液体が、ポンプ６３に流入されることが抑制される。
ポンプ６３は、流通管６４２を介して第１液体が流入される第１圧送部６３１と、後述する放熱装置７の流通管７４２を介して第２液体が流入される第２圧送部６３２と、を有し、これら圧送部６３１，６３２は、１つの駆動軸の回転に伴って液体を圧送する。このようなポンプ６３において、第１圧送部６３１に流入された第１液体は、流通管６４３を介して熱交換装置８に圧送され、第２圧送部６３２に流入された第２液体は、流通管７４３を介して放熱器７３に圧送される。
【００３３】
そして、熱交換装置８に流通した第１液体は、当該熱交換装置８によって冷却されて、流通管６４４を介して吸熱器６１に再度流通する。これにより、温度が低い第１液体が吸熱器６１に流通し、当該吸熱器６１にて密閉筐体５１内の冷却空気から吸熱された熱を帯びた第１液体が、吸熱器６１から流通管６４１を介してタンク６２に流入される。このように、吸熱装置６では、ポンプ６３が駆動されることによって第１液体が循環される。
なお、熱交換装置８の構成については、後に詳述する。
【００３４】
［放熱装置の構成］
放熱装置７は、熱交換装置８によって第１液体から受熱された熱が伝導される第２液体を循環させ、当該第２液体の熱を放熱するものであり、当該第２液体の循環流路を構成する。この放熱装置７は、上記密閉空間Ｓの外部に配置されており、上記ポンプ６３の第２圧送部６３２を含む他、タンク７１、放熱器７３、流通管７４及び冷却ファン７５と、ケース７６（図７参照）と、を備える。
これらのうち、流通管７４（７４１〜７４４）は、タンク７１、ポンプ６３及び放熱器７３と、熱交換装置８とを、第２液体が内部を流通可能に接続する。
【００３５】
タンク７１は、本発明の第２貯留部に相当し、上記タンク６２と同様に、放熱装置７を循環する第２液体を一時的に貯留する。このタンク７１は、流通管７４１を介して熱交換装置８と接続され、流通管７４２を介してポンプ６３（第２圧送部６３２）と接続されている。
放熱器７３は、流通管７４３を介して第２圧送部６３２と接続され、当該第２圧送部６３２から内部に流入される第２液体の熱を放熱し、これにより、当該第２液体を冷却するラジエターである。この放熱器７３により冷却された第２液体は、流通管７４４を介して熱交換装置８に流通される。
【００３６】
このように構成された放熱装置７では、ポンプ６３が駆動されると、流通管７４によってそれぞれ接続された第２圧送部６３２、放熱器７３、熱交換装置８及びタンク７１を、第２液体が循環する。これにより、熱交換装置８にて第２液体に伝導された熱が、放熱器７３によって放熱される。
なお、放熱器７３は、ケース７６（図６及び図７参照）によって冷却ファン７５と一体化されており、当該放熱器７３には、冷却ファン７５によって側面部２６の導入口２６１からフィルター（図示省略）を介して導入された外装筐体２外の空気が流通し、これにより、放熱器７３が冷却される。そして、当該放熱器７３の冷却に供されて熱せられた空気は、側面部２５に形成された排気口（図示省略）を介して外装筐体２外に排出される。
【００３７】
［熱交換装置の構成］
図４及び図５は、熱交換装置８の構成を示す斜視図である。これらのうち、図４は、熱交換装置８を正面側（後述するＺ方向とは反対側）から見た斜視図であり、図５は、背面側（後述するＺ方向側）から見た斜視図である。
熱交換装置８は、上記のように、吸熱装置６を循環する第１液体と、放熱装置７を循環する第２液体とが内部を流通可能に構成されている。この熱交換装置８は、上記密閉空間Ｓ内の冷却空気の熱が伝導された第１液体から受熱して当該第１液体を冷却し、受熱した熱を第２液体に伝導して、第１液体と第２液体との間で熱を交換する。この熱交換装置８は、図４及び図５に示すように、第１液体が流通する受熱部８１と、当該受熱部８１を挟む２つの放熱部８２，８３と、２つの熱伝導部８４，８５と、を備える。
【００３８】
受熱部８１は、内部を流通する第１液体から受熱する。この受熱部８１は、正面側下方に配置され流通管６４３と接続される流入口８１１と、正面側上方に配置され流通管６４４と接続される流出口８１２と、を有する。
このような受熱部８１の内部には、図示を省略するが、熱伝導性を有する複数のフィンにより複数の微細流路が形成されており、当該微細流路を第１液体が通過する過程にて当該第１液体から熱が伝導される。このような受熱部８１によって受熱されて冷却された第１液体は、流出口８１２及び流通管６４４を介して吸熱器６１に流通する。
【００３９】
２つの熱伝導部８４，８５は、それぞれ、受熱部８１を挟む位置に配置されている。
これら熱伝導部８４，８５は、図示を省略するが、上記制御装置によって動作が制御される熱電変換素子をそれぞれ有する。これら熱電変換素子は、ペルチェ素子であり、吸熱面が受熱部８１側を向き、放熱面が放熱部（熱伝導部８４の熱電変換素子であれば放熱部８２であり、熱伝導部８５の熱電変換素子であれば放熱部８３）側を向くように配置される。そして、熱伝導部８４は、第１液体から受熱部８１に伝導された熱を、熱電変換素子によって放熱部８２に伝導し、熱伝導部８５は、受熱部８１に伝導された熱を、熱電変換素子によって放熱部８３に伝導する。
【００４０】
放熱部８２，８３は、それぞれ内部を上記第２液体が流通し、伝導された熱を当該第２液体に伝導（放熱）する。
放熱部８２は、正面側下方に配置され、流通管７４４と接続される流入口８２１と、背面側上方に配置され、内部を第２液体が流通可能な配管Ｐと接続される流出口８２２と、を有する。また、放熱部８３は、背面側下方に配置され、上記配管Ｐと接続される流入口８３１と、正面側上方に配置され、流通管７４１と接続される流出口８３２と、を有する。すなわち、放熱部８２と放熱部８３とは、第２液体の循環流路において直列に接続され、上流側に放熱部８２が位置し、下流側に放熱部８３が位置する。
これら放熱部８２，８３の内部には、図示を省略するが、上記と同様の複数の微細流路が形成されており、当該複数の微細流路を第２液体が流通する過程にて、放熱部８２，８３に伝導された熱が第２液体に伝導される。そして、当該第２液体は、流出口８３２及び流通管７４１を介してタンク７１に流通する。
【００４１】
［冷却装置の各構成の配置］
図６は、上記構成の配置を模式的に示す冷却装置４の断面図である。
冷却装置４は、図６に示すように、吸熱装置６、放熱装置７及び熱交換装置８が取り付けられるフレーム９を有し、これら装置６〜８及びフレーム９は、冷却ユニットＣＵとして一体化されている。そして、冷却ユニットＣＵは、吸熱装置６のダクト６５が密閉筐体５１に接続されるように、当該密閉筐体５１と組み合わされる。
【００４２】
［密閉筐体の構成］
ここで、密閉筐体５１の構成について説明する。
密閉筐体５１は、図６に示すように、第１ダクト部５１１、第２ダクト部５１２及び導風ダクト部５１３と、を有する。
第１ダクト部５１１は、密閉筐体５１において天面部２１側（上側）の部位を構成する。この第１ダクト部５１１は、一端が上記配置部３６３における天面部２１側の端部と接続され、他端がダクト６５における天面部２１側の端部と接続される。この第１ダクト部５１１は、冷却対象としての電気光学装置３４を冷却した冷却空気を、内部に吸熱器６１が配置されたダクト６５に流通させる。
第２ダクト部５１２は、密閉筐体５１において底面部２２側（下側）の部位を構成する。この第２ダクト部５１２は、一端が上記配置部３６３における底面部２２側の端部と接続され、他端がダクト６５における天面部２１側の端部と接続される。この第２ダクト部５１２の他端側におけるダクト６５内の吸熱器６１近傍の位置には、上記循環ファン５２が配置されている。そして、循環ファン５２が駆動されると、ダクト６５内の吸熱器６１にて冷却された空気が第２ダクト部５１２内に吸引され、配置部３６３側に流通される。
【００４３】
導風ダクト部５１３は、各冷却ファン５３Ｂ，５３Ｇ，５３Ｒに応じて設けられ、対応する冷却ファン５３に接続される導風ダクト部５１３Ｂ，５１３Ｇ，５１３Ｒを含んで構成される。これら導風ダクト部５１３Ｂ，５１３Ｇ，５１３Ｒは、それぞれ対応する冷却ファン５３から吐出された冷却空気を、対応する液晶パネル３４１（３４１Ｂ，３４１Ｇ，３４１Ｒ）に導く。これら導風ダクト部５１３Ｂ，５１３Ｇ，５１３Ｒは、第２ダクト部５１２内において上記一端側の位置、すなわち、電気光学装置３４に対して底面部２２側の位置に配置されている。
このような密閉筐体５１、ダクト６５及び配置部３６３により内部に形成される密閉空間Ｓ内の冷却空気は、上記のように、ダクト６５内の吸熱器６１によって冷却され、循環ファン５２によって吸引及び吐出されて第２ダクト部５１２内を流通する。この後、冷却ファン５３によって吸引及び吐出された冷却空気は、導風ダクト部５１３を介して配置部３６３内を流通して、電気光学装置３４を冷却する。そして、当該冷却空気は、第１ダクト部５１１を介して、再びダクト６５内に流入される。これにより、当該冷却空気は密閉空間Ｓ内を循環する。
【００４４】
［冷却ユニットの構成］
図７は、冷却ユニットＣＵを示す斜視図である。詳述すると、図７は、密閉筐体５１側から見た冷却ユニットＣＵを示す斜視図であり、図８は、密閉筐体５１側とは反対側から見た冷却ユニットＣＵを示す斜視図である。
冷却ユニットＣＵは、吸熱装置６、放熱装置７、熱交換装置８及びフレーム９を一体化したものである。この冷却ユニットＣＵにおいて、タンク６２，７１、ポンプ６３（図示省略）及び熱交換装置８は、フレーム９において下段（底面部２２側）に位置する第１フレーム９１に固定され、吸熱器６１及びダクト６５と、ケース７６によって一体化された放熱器７３及び冷却ファン７５とは、上段（天面部２１側）に位置する第２フレーム９２に揺動可能に取り付けられる。
【００４５】
以下、フレーム９（第１フレーム９１及び第２フレーム９２）の構成、及び、当該フレーム９に対する各装置６〜８の一体化手順について説明する。
なお、以下の説明において、Ｘ、Ｙ及びＺ方向は、それぞれ互いに直交する方向である。これらのうち、Ｘ方向は、プロジェクター１において右側の側面部２６（図１参照）から左側の側面部２５に向かう方向を示し、Ｙ方向は、底面部２２から天面部２１に向かう方向を示す。また、Ｚ方向は、背面部２４から正面部２３に向かう方向である。例えば、底面部２２が水平面に沿う設置面に対向するようにプロジェクター１が設置された場合、Ｚ方向は、投射光学装置３５の中心軸及び水平方向に沿う方向であり、Ｘ方向は水平方向に沿う方向であり、Ｙ方向は鉛直方向上向きに沿う方向である。
【００４６】
図９は、第１フレーム９１にポンプ６３が設置された状態を示す斜視図である。
第１フレーム９１は、合成樹脂製の一体成型品である。この第１フレーム９１は、図９に示すように、ＸＹ平面に沿う底面部９１１と、当該底面部９１１におけるＸ方向とは反対側の端縁からＹ方向に起立する第１側壁部９１８と、底面部９１１におけるＺ方向とは反対側の端縁からＹ方向に起立する第２側壁部９１９と、を有する。すなわち、第１フレーム９１は、ＸＹ平面の断面が略Ｌ字状となるように形成されている。
底面部９１１におけるＺ方向側の位置は、タンク６２，７１及び熱交換装置８が配置される第１配置部９１２とされ、Ｚ方向とは反対側の位置は、ポンプ６３が配置される第２配置部９１３とされている。この第２配置部９１３には、ポンプ６３が、第１圧送部６３１がＺ方向側に位置し、第２圧送部６３２がＺ方向とは反対側に位置するように配置される。また、第１配置部９１２及び第２配置部９１３に挟まれる位置は、各装置６〜８を接続する配管（流通管６４，７４）が集中する配管集中部９１４とされている。
なお、底面部９１１におけるＸ方向側の端縁で、かつ、Ｚ方向における略中央には、Ｙ方向に起立する起立部９１５が形成されており、当該起立部９１５は、後述する第２フレーム９２とともに、ダクト６５を支持する。
【００４７】
図１０は、図９に示した状態からタンク６２，７１が設置された状態を示す斜視図である。
第１フレーム９１には、図１０に示すように、ポンプ６３とともにタンク６２，７１が、第１配置部９１２においてＸ方向とは反対側の位置に取り付けられる。この際、タンク７１は、Ｚ方向側に配置され、タンク６２は、Ｚ方向とは反対側に配置される。すなわち、タンク６２は、タンク７１よりポンプ６３に近い位置に配置される。
そして、上記のように、第１圧送部６３１の流入口６３１１とタンク６２の流出口６２２（図１８参照）とが、流通管６４２により接続され、第２圧送部６３２の流入口６３２１とタンク７１の流出口７１２（図１８参照）とが、流通管７４２により接続される。
【００４８】
図１１は、図１０に示した状態から熱交換装置８が設置された状態を示す斜視図である。
上記タンク６２，７１が取り付けられると、図１１に示すように、熱交換装置８が、上記第１配置部９１２におけるＸ方向側の位置に配置される。具体的に、熱交換装置８は、当該熱交換装置８における正面（流入口８１１，８２１及び流出口８１２，８３２が位置する面）がＺ方向とは反対側を向くように配置される。すなわち、熱交換装置８は、当該正面が上記配管集中部９１４を向くように配置される。
このように、熱交換装置８が第１配置部９１２に配置される際に、流入口８１１と、第１圧送部６３１の流出口６３１２とが、流通管６４３を介して接続される。また、熱交換装置８の設置後、流出口８３２と、タンク７１の流入口７１１（図１０参照）とが、流通管７４１を介して接続される。
なお、熱交換装置８は、ＸＹ平面に沿う断面が略逆Ｕ字状に形成され、当該熱交換装置８を覆うケース８６によって第１配置部９１２に固定される。このケース８６におけるＹ方向側の端部には、取付部８６１が設けられている。
【００４９】
図１２は、図１１に示した状態から第２フレーム９２が設置された状態を示す斜視図である。
上記熱交換装置８が取り付けられると、図１２に示すように、第２フレーム９２が、第１フレーム９１に取り付けられる。具体的に、第２フレーム９２は、ポンプ６３を覆うように、ねじ（図示省略）によって各側壁部９１８，９１９におけるＹ方向側の端部に固定される。
この第２フレーム９２は、合成樹脂製の一体成型品であり、Ｘ方向とは反対側で、かつ、Ｚ方向における両端近傍に２つの取付部９２１を有する。２つの取付部９２１には、放熱器７３が揺動可能に取り付けられる。
また、第２フレーム９２は、Ｘ方向側でＺ方向とは反対側の位置に、１つの取付部９２２を有する。この取付部９２２には、起立部９１５におけるＹ方向側の端部に形成された取付部９１６とともに、上記ダクト６５が揺動可能に取り付けられる。
更に、２つの取付部９２１に挟まれる位置には、Ｙ方向側に突出して、ケース７６を支持する支持部９２３が設けられている。
【００５０】
図１３は、図１２に示した状態からケース７６が設置された状態を示す斜視図である。また、図１４は、当該ケース７６を示す斜視図である。
上記第２フレーム９２が取り付けられた後、図１３に示すように、上記ケース７６が、第２フレーム９２に取り付けられる。
このケース７６は、図１３及び図１４に示すように、放熱器７３（図１３及び図１４では図示省略）及び冷却ファン７５を内部に収納して一体化するとともに、当該冷却ファン７５の駆動によって吸引される冷却空気が放熱器７３に沿って流通するように当該冷却空気を導くダクトとしても機能する。このようなケース７６には、図１４に示すように、上記取付部９２１が挿入される略円形状の開口部７６１が、取付部９２１，８６１に応じた位置に形成されている。
なお、ケース７６は、放熱器７３内に第２液体が流入される流入口７３１に対して、放熱器７３内を流通した第２液体が流出される流出口７３２が熱交換装置８に近くなるように、第２フレーム９２上に配置される。
【００５１】
図１５は、第２フレーム９２に上記ケース７６を遊嵌状態にて取り付ける遊嵌構造ＦＳを示す断面図であり、第２フレーム９２においてＺ方向とは反対側に位置する取付部９２１でのＸＹ平面における断面図である。
ここで、ケース７６は、図１５に示すように、取付部９２１に設けられた遊嵌構造（フローティング構造）ＦＳによって、Ｘ、Ｙ及びＺ方向に沿って僅かに移動可能な状態で、当該取付部９２１に取り付けられる。この遊嵌構造ＦＳは、取付部９２１内に設けられたインサートナットＮＴと、当該インサートナットＮＴに対してＹ方向側から螺合されるねじＳＲと、当該ねじＳＲの頭部と取付部９２１との間に配置されるワッシャーＷＳと、を備えて構成される。このワッシャーＷＳは、直径寸法が、取付部９２１が挿入される上記開口部７６１の内径寸法より大きくなるように形成されている。
【００５２】
そして、第２フレーム９２にケース７６を取り付ける際には、取付部９２１が開口部７６１を挿通するようにケース７６をＹ方向側から配置した状態で、当該取付部９２１内のインサートナットＮＴにワッシャーＷＳを介してねじＳＲを螺合させる。これにより、開口部７６１の内縁と、取付部９２１の外縁との間の寸法分だけ、第２フレーム９２に対してケース７６がＸ方向及びＺ方向に移動可能となる。また、取付部９２１の位置において、当該取付部９２１の下端（Ｙ方向とは反対側の端部）とケース７６の下端との間には隙間が設けられることから、当該隙間の分だけ、第２フレーム９２に対してケース７６がＹ方向に移動可能となる。なお、図示を省略するが、ケース８６に設けられた取付部８６１にも、上記遊嵌構造ＦＳが設けられている。
このように、ケース７６は、第２フレーム９２に対して遊嵌状態で取り付けられる。このため、冷却ユニットＣＵを外装筐体２内に配置した際に、フィルター（図示省略）が設けられた上記導入口２６１に合わせてケース７６を配置でき、これにより、清浄な空気を放熱器７３に流通させることができる。
【００５３】
このようなケース７６が第２フレーム９２に取り付けられる際には、図１３に示すように、放熱器７３においてケース７６から外部に露出する流入口７３１と、第２圧送部６３２の流出口６３２２とが、流通管７４３によって接続される。また、同じくケース７６から外部に露出する流出口７３２と、熱交換装置８の流入口８２１とが、流通管７４４によって接続される。
【００５４】
図１６は、図１３に示した状態からダクト６５が設置された状態を示す斜視図である。すなわち、図１６は、冷却ユニットＣＵを示す斜視図である。また、図１７は、ダクト６５を示す斜視図である。
上記ケース７６が第２フレーム９２に取り付けられると、図１６に示すように、当該第２フレーム９２及び第１フレーム９１の起立部９１５に、吸熱器６１が内部に配置されたダクト６５がＹ方向側から取り付けられる。
このダクト６５は、図１６及び図１７に示すように、Ｚ方向側から見て略Ｌ字状の筒状に形成され、上記第１ダクト部５１１及び第２ダクト部５１２と接続される。このダクト６５は、Ｙ方向に沿って当該ダクト６５を貫通する貫通部６５１が形成されており、当該貫通部６５１内に吸熱器６１が配置される。
【００５５】
ダクト６５においてＺ方向側の面には、図１６に示すように、吸熱器６１において内部に第１液体を流入させる流入口６１１が露出している。また、ダクト６５においてＺ方向とは反対側の面には、図１７に示すように、吸熱器６１において内部を流通した第１液体が流出される流出口６１２が露出している他、当該流出口６１２と接続される流通管６４１が固定される固定部６５２が設けられている。
更に、ダクト６５において、上記取付部９２２，９１６（図１２参照）に応じた位置には、外側に突出する突出部６５３がそれぞれ設けられ、各突出部６５３には、対応する取付部が挿通する略円形状の開口部６５３１が形成されている。これら取付部９２２，９１６には、上記遊嵌構造ＦＳが設けられており、これらにより、ダクト６５は、第１フレーム９１及び第２フレーム９２に遊嵌状態にて取り付けられる。この際、ダクト６５は、上記流入口６１１がＺ方向側に位置し、上記流出口６１２がＺ方向とは反対側に位置するように配置される。すなわち、吸熱器６１は、流入口６１１が流出口６１２に比べて熱交換装置８に近くなるように配置される。
【００５６】
このようにダクト６５がフレーム９に対してＸ、Ｙ及びＺ方向に僅かに移動可能に取り付けられる際に、図１６に示すように、吸熱器６１の流入口６１１が、流通管６４４によって熱交換装置８の流出口８１２に接続される。また、図示を省略するが、吸熱器６１の流出口６１２が、流通管６４１を介してタンク６２の流入口６２１（図１０参照）に接続される。これにより、冷却ユニットＣＵが組み立てられる。
このようにして構成された冷却ユニットＣＵは、プロジェクター１が製造又は修理される際に、ダクト６５が上記第１ダクト部５１１及び第２ダクト部５１２に接続され、かつ、ケース７６が導入口２６１に接続されるようにして、プロジェクター１内に配置される。これにより、上記冷却装置４が構成される。
【００５７】
［配管集中部における配管］
図１８は、冷却ユニットＣＵをＹ方向側から見た平面図である。換言すると、図１８は、配管集中部９１４を示す図である。
ここで、熱交換装置８は、上記のように、流入口８１１，８２１及び流出口８１２，８３２がＺ方向とは反対側を向くように配置される。
一方、熱交換装置８に対してＺ方向とは反対側に位置する吸熱器６１、放熱器７３及びポンプ６３のうち、吸熱器６１は、流出口８１２に接続される流入口６１１が流出口６１２より熱交換装置８に近くなるように配置される。また、放熱器７３は、流入口８２１に接続される流出口７３２が流入口７３１より熱交換装置８に近くなるように配置される。更に、ポンプ６３は、流入口８１１に接続される第１圧送部６３１の流出口６３１２が流入口６３１１より熱交換装置８に近くなるように配置される。加えて、流出口８３２に接続されるタンク７１は、流入口７１１が流出口７１２より熱交換装置８に近くなるように配置される。
【００５８】
このように、熱交換装置８に対する流通管６４，７４は、フレーム９（第１フレーム９１）において熱交換装置８に対してＺ方向とは反対側に位置し、所定のスペースを有する配管集中部９１４に集中する。換言すると、熱交換装置８に対するＺ方向とは反対側の位置に、当該熱交換装置８と接続される流通管６４，７４が集中して配置される配管集中部９１４が設けられている。これにより、順次フレーム９に配置される各構成と熱交換装置８とを接続する流通管６４，７４の配管を容易に実施できる。この他、流通管６４，７４の多くが配管集中部９１４を通ることにより、当該流通管６４，７４が散在する場合に比べて、冷却ユニットＣＵを小型化できる。
【００５９】
以上説明した本実施形態に係るプロジェクター１によれば、以下の効果がある。
吸熱装置６の吸熱器６１及びダクト６５と、放熱装置７の放熱器７３と、熱交換装置８とは、一体化されて、冷却ユニットＣＵを構成している。これによれば、これら吸熱器６１、ダクト６５、放熱器７３及び熱交換装置８をプロジェクター１外にて一体化でき、組み立てられた冷却ユニットＣＵをプロジェクター１内に組み込むことができる。従って、プロジェクター１内で上記構成の配置及び組立を実施する場合に比べて、冷却装置４の設置を容易に実施できる。
また、密閉空間Ｓ内に配置される吸熱器６１は、上記密閉筐体５１（第１ダクト部５１１及び第２ダクト部５１２）と組み合わされて当該密閉空間Ｓを形成するダクト６５内に配置された状態にて、冷却ユニットＣＵとして一体化される。これによれば、例えばプロジェクター１内に予め設置された密閉筐体５１と、ダクト６５とを組み合わせることによって密閉空間Ｓ内に吸熱器６１を配置できる。従って、プロジェクター１内での冷却装置４の組立を容易に実施できる。
【００６０】
熱交換装置８、吸熱器６１、ダクト６５及び放熱器７３は、フレーム９に取り付けられるので、当該フレーム９によってこれらを容易に一体化できる。従って、冷却ユニットＣＵの組立作業を簡略化できる他、各構成をフレームに密に配置できるので、冷却ユニットＣＵを小型化でき、冷却装置４、ひいては、プロジェクター１を小型化できる。
【００６１】
ダクト６５は、遊嵌構造ＦＳによってフレーム９に取り付けられている。これによれば、当該フレーム９への取付後でもダクト６５を僅かながら移動させることができるので、プロジェクター１内に予め設置された密閉筐体５１に対してダクト６５を容易に位置合わせできる。従って、密閉筐体５１に対してダクト６５を容易に組合せることができる。
また、放熱器７３及び冷却ファン７５を一体化するケース７６は、遊嵌構造ＦＳによってフレーム９に取り付けられている。これによれば、フレーム９への取付後でもケース７６（放熱器７３）を僅かながら移動させることができる。このため、フィルターが設けられた導入口２６１に対して、ケース７６、ひいては、放熱器７３及び冷却ファン７５を位置合わせしやすくすることができる。従って、導入口２６１に対する放熱器７３及び冷却ファン７５の位置合わせを容易に実施できる他、放熱器７３に清浄な空気を流通させることができ、当該放熱器７３による放熱効率の低下を抑制できる。
【００６２】
第１貯留部としてのタンク６２及び第２貯留部としてのタンク７１と、第１圧送部６３１及び第２圧送部６３２を有するポンプ６３とは、吸熱器６１及びダクト６５と、放熱器７３及び冷却ファン７５を一体化したケース７６と、熱交換装置８とともに一体化されて、冷却ユニットＣＵを構成している。これによれば、プロジェクター１内での冷却装置４の組立及び設置を一層容易に実施できる。
【００６３】
タンク６２，７１、ポンプ６３及び熱交換装置８は、第１フレーム９１に取り付けられ、ダクト６５及びケース７６は、第１フレーム９１に対してＹ方向側に位置する第２フレーム９２に取り付けられる。このＹ方向は、底面部２２が水平面に対向するようにプロジェクター１が設置された場合に、鉛直方向上側を向く方向である。これによれば、それぞれ移動させる必要性がそれほど高くないタンク６２，７１、ポンプ６３及び熱交換装置８を、鉛直方向下側に位置する第１フレーム９１に先に配置でき、それぞれ移動させる可能性が高いダクト６５及びケース７６を、鉛直方向上側に位置する第２フレーム９２に後に配置できる。そして、これにより、プロジェクター１内に冷却ユニットＣＵを設置する際に、ダクト６５を密閉筐体５１に対して位置合わせしやすくすることができ、ケース７６を導入口２６１に対して位置合わせしやすくすることができる。従って、プロジェクター１内での冷却装置４の組立及び設置をより一層容易に実施できる。
【００６４】
第１液体を圧送する第１圧送部６３１と、第２液体を圧送する第２圧送部６３２は、１つのポンプ６３によって構成されている。これによれば、部品点数を削減できるだけでなく、冷却ユニットＣＵ、ひいては、冷却装置４を小型化できる。
【００６５】
冷却空気から伝導された第１液体の熱は、熱交換装置８によって第２液体に伝導されるので、当該熱交換装置８の流出口８１２から流出された第１液体の温度は、当該第１液体の循環流路において最も低い。この第１液体は、流通管６４４を介して吸熱器６１に流通されるので、当該吸熱器６１に温度が低い第１液体を流通させることができる。従って、吸熱器６１による冷却空気の冷却効率を高めることができる。
また、熱交換装置８は、吸熱器６１の流出口６１２より流入口６１１に近い位置に配置されている。これによれば、熱交換装置８が、吸熱器６１の流出口６１２に近い位置に配置されている場合に比べ、流通管６４４を短くすることができる。従って、流通管６４４が比較的長く、当該流通管６４４内の第１液体の流路が長くなる場合に比べて、プロジェクター１内の温度によって、吸熱器６１に流入される第１液体の温度が上昇することを抑制できる。これにより、吸熱器６１による冷却空気の冷却効率を高めることができる他、第１液体の蒸発及び気化を抑制できる。更に、温度が低い第１液体が流通する流通管６４４に結露が生じる可能性がある場合でも、結露対策を施す範囲を狭めることができる。
【００６６】
第２液体は、放熱器７３を流通することによって冷却され、流通管７４４を介して熱交換装置８の流入口８２１に流入される。この熱交換装置８は、放熱器７３の流入口７３１側ではなく流出口７３２側に位置する。これによれば、当該流出口７３２と熱交換装置８の流入口８２１との距離を短くすることができ、流通管７４４を短くすることができる。このため、流通管７４４が比較的長く、当該流通管７４４内の第２液体の流路が長くなる場合に比べて、プロジェクター１内の温度によって、熱交換装置８に流入される第２液体の温度が上昇することを抑制できる。従って、熱交換装置８による熱交換効率、すなわち、第１液体の冷却効率を高めることができる他、第２液体の蒸発及び気化を抑制できる。更に、流通管７４４に結露が生じる可能性がある場合でも、結露対策を施す範囲を狭めることができる。
【００６７】
［実施形態の変形］
本発明は、上記実施形態に限定されるものではなく、本発明の目的を達成できる範囲での変形、改良等は本発明に含まれるものである。
上記実施形態では、冷却ユニットＣＵは、吸熱装置６、放熱装置７及び熱交換装置８がフレーム９に一体的に取り付けられることによって構成されるとした。しかしながら、本発明はこれに限らない。例えば、冷却ユニットは、吸熱器６１が内部に配置されたダクト６５と、放熱器７３と、熱交換装置８とが一体化された構成であってもよい。すなわち、冷却ユニットには、上記構成のうち一部が含まれていなくてもよく、他の構成が含まれていてもよい。
【００６８】
上記実施形態では、吸熱装置６、放熱装置７及び熱交換装置８は、第１フレーム９１及び第２フレーム９２を有するフレーム９に取り付けられるとした。しかしながら、本発明は、これに限らない。例えば、バンド等によって上記構成を一体化して冷却ユニットを構成してもよい。また、第１フレーム９１及び第２フレーム９２の一方のフレームに、ダクト６５及びケース７６の一方が配置され、他方のフレームにダクト６５及びケース７６の他方が配置されてもよく、ダクト６５及びケース７６のそれぞれが第１フレーム９１に配置されてもよい。すなわち、各フレーム９１，９２に配置される構成は、冷却ユニットＣＵのレイアウトや作業効率に応じて、適宜変更可能である。例えば、ダクト６５と密閉筐体５１との接続部位が、上記ダクト６５の位置よりＹ方向とは反対側に位置している場合や、導入口２６１がよりＹ方向とは反対側に位置している場合等においては、ダクト６５及びケース７７を第１フレーム９１に取り付け、他の構成を第２フレーム９２に固定してもよい。
更に、フレーム９は、互いにねじ（図示省略）により組み合わされる第１フレーム９１及び第２フレーム９２を有する構成でなくてもよく、１つのフレームであってもよい。
【００６９】
上記実施形態では、冷却装置４は、密閉筐体５１、ダクト６５及び上記配置部３６３により形成される密閉空間Ｓ内の冷却空気を循環させることにより、当該密閉空間Ｓ内に配置された冷却対象（電気光学装置３４）を冷却する構成とした。しかしながら、本発明はこれに限らない。例えば、密閉筐体５１内に空気以外の気体（窒素ガスやヘリウムガス等）である冷却気体を充填し、当該冷却気体を循環させて冷却対象を冷却してもよい。
【００７０】
上記実施形態では、第１液体の循環流路において当該第１液体を圧送する第１圧送部６３１と、第２液体の循環流路において当該第２液体を圧送する第２圧送部６３２とは、１つのポンプ６３によって構成されるとした。しかしながら、本発明はこれに限らない。すなわち、第１圧送部及び第２圧送部を、それぞれ異なるポンプによって構成してもよい。
【００７１】
上記実施形態では、吸熱器６１は、放熱器７３に対してＸ方向側に位置し、図６に示したように、吸熱器６１及び放熱器７３は、Ｚ方向に沿って見た場合に略Ｌ字状をなすように配置されるとした。しかしながら、本発明はこれに限らない。すなわち、冷却ユニットＣＵにおける吸熱器６１及び放熱器７３の配置は適宜変更可能である。例えば、吸熱器６１及び放熱器７３が互いに平行に配置されている場合でも、吸熱器６１の流入口側、及び、放熱器７３の流出口側のいずれかに応じて熱交換装置８を配置すれば、上記効果を奏することができる。また、吸熱器６１及び放熱器７３における各流入口及び各流出口の位置も適宜変更可能である。更に、冷却ユニットＣＵにおける他の構成の配置も、作業性等を考慮して適宜変更可能である。
【００７２】
上記実施形態では、ダクト６５及びケース７６は、遊嵌構造ＦＳによってフレーム９に取り付けられるとした。しかしながら、本発明はこれに限らない。例えば、ダクト６５及びケース７６のうち一方のみが遊嵌構造ＦＳによってフレーム９に取り付けられていてもよく、それぞれが遊嵌構造ＦＳを用いずにフレーム９に取り付けられていてもよい。更に、遊嵌構造ＦＳの構成も、上記構成に限らず、ダクト６５及びケース７６の少なくとも一方を揺動可能にフレーム９に取り付けることが可能であれば、他の構成でもよい。
【００７３】
上記実施形態では、熱交換装置８は、吸熱器６１の流入口６１１側で、かつ、放熱器７３の流出口７３２側に配置されるとした。しかしながら、本発明はこれに限らない。すなわち、冷却ユニットＣＵのレイアウトによって、熱交換装置８の配置は適宜変更可能であり、熱交換装置８が、吸熱器６１の流入口６１１側に配置されるものの、放熱器７３の流出口７３２側には配置されない状態や、吸熱器６１の流入口６１１側に配置されないものの、放熱器７３の流出口７３２側に配置される状態となってもよい。
また、熱交換装置８の構成も、上記１つの受熱部８１と、２つの放熱部８２，８３と、２つの熱伝導部８４と、を有する構成に限らない。例えば、熱交換装置は、１つの受熱部と、１つの放熱部と、これらの間に配置される熱伝導部と、を有する構成としてもよい。
【００７４】
上記実施形態では、冷却対象として電気光学装置３４を挙げた。しかしながら、本発明はこれに限らない。例えば、偏光変換素子３２５や光源装置を冷却対象としてもよく、他の光学部品を冷却対象としてもよい。更に、密閉空間Ｓ内に配置される冷却対象は、１つでなくてもよく、複数の冷却対象が密閉空間Ｓ内に配置されてもよい。
【００７５】
上記実施形態では、プロジェクター１は、３つの液晶パネル３４１（３４１Ｒ，３４１Ｇ，３４１Ｂ）を備えるとした。しかしながら、本発明はこれに限らない。すなわち、２つ以下、あるいは、４つ以上の液晶パネルを用いたプロジェクターにも、本発明を適用可能である。
また、画像形成装置３の形状も上記形状に限らず、平面視略Ｌ字形状や平面視略Ｕ字形状を有した構成を採用してもよく、他の構成を備えていてもよい。
更に、光変調装置として採用される液晶パネル３４１は、透過型でも反射型でもよく、或いは、マイクロミラーを用いたデバイス、例えば、ＤＭＤ（Digital Micromirror Device）等を利用したものなど、液晶以外の光変調装置を用いてもよい。
【００７６】
上記実施形態では、照明装置３１は、それぞれ光源ランプ３１１及びリフレクター３１２を有する２つの光源装置３１Ａ，３１Ｂを備える構成とした。しかしながら、本発明はこれに限らない。すなわち、光源装置の数は１つでもよく、３以上でもよい。また、光源装置として、ＬＥＤ（Light Emitting Diode）やＬＤ（Laser Diode）等の固体光源を有する構成としてもよい。この場合、ＬＤから出射される励起光により励起されて蛍光を出射する蛍光体を有する構成としてもよい。
【符号の説明】
【００７７】
１…プロジェクター、３４…電気光学装置（冷却対象）、４…冷却装置、５…循環冷却装置、５１…密閉筐体、６…吸熱装置、６１…吸熱器、６１１…流入口、６２…タンク（第１貯留部）、６３…ポンプ、６３１…第１圧送部、６３２…第２圧送部、６４（６４１〜６４４）…流通管、６５…ダクト、７…放熱装置、７１…タンク（第２貯留部）、７３…放熱器、７３２…流出口、７４（７４１〜７４４）…流通管、８…熱交換装置、９…フレーム、９１…第１フレーム、９２…第２フレーム、ＣＵ…冷却ユニット、ＦＳ…遊嵌構造、Ｓ…密閉空間。
【図１】
0006578714.tif 000002
【図２】
0006578714.tif 000003
【図３】
0006578714.tif 000004
【図４】
0006578714.tif 000005
【図５】
0006578714.tif 000006
【図６】
0006578714.tif 000007
【図７】
0006578714.tif 000008
【図８】
0006578714.tif 000009
【図９】
0006578714.tif 000010
【図１０】
0006578714.tif 000011
【図１１】
0006578714.tif 000012
【図１２】
0006578714.tif 000013
【図１３】
0006578714.tif 000014
【図１４】
0006578714.tif 000015
【図１５】
0006578714.tif 000016
【図１６】
0006578714.tif 000017
【図１７】
0006578714.tif 000018
【図１８】
0006578714.tif 000019